(57)【要約】【課題】  冷暖房システム等において熱源装置に繋がる主管に対して連絡配管を集合させて接続する配管集合装置であって、連絡配管を接続する際、連絡配管の立上り部分の暴れを防止できる施工性に優れた配管集合装置を提供する。【解決手段】  配管集合装置は、箱状に構成されたフレーム（１）と、当該フレームに収納され且つ熱源装置（９）の主管（９１），（９２）に接続されるヘッダー（２）とを備え、当該ヘッダーは、その下方の床側に配置された連絡配管（３）が接続される複数の接続ポート（２１）を有している。フレーム（１）の下部には、床側で水平方向に引き回される連絡配管（３）を床側へ押え付ける配管浮上り防止具（５）が着脱可能に設けられる。また、ヘッダー（２）の下方には、フレーム（１）の内側の領域（６）を複数に区画する仕切部材（４）が配置される。【選択図】  図１
2006118589.tif 000002
【特許請求の範囲】
【請求項１】
主管に対して多数の連絡配管を集合させて接続する配管集合装置であって、箱状に構成され且つ床上に設置されるフレームと、当該フレームに収納され且つ前記主管に接続されるヘッダーとを備え、且つ、当該ヘッダーは、その下方の床側に配置された前記連絡配管が接続される複数の接続ポートを有し、前記フレームの下部には、床側で水平方向に引き回される前記連絡配管を床側へ押え付ける配管浮上り防止具が着脱可能に設けられていることを特徴とする配管集合装置。
【請求項２】
ヘッダーの下方には、フレームの内側の領域を複数に区画する仕切部材が配置され、且つ、当該仕切部材には、これによって区画された各領域に対して連絡配管を水平方向へ抜き差しする間隙が設けられている請求項１に記載の配管集合装置。
【請求項３】
熱源装置と複数の室内設備との間で熱媒体を循環させる冷暖房システムに適用され、前記熱源装置に繋がる主管と前記各室内設備に繋がる連絡配管とを接続する請求項１又は２に記載の配管集合装置。
【請求項４】
ヘッダーとして熱媒体供給用ヘッダー及び熱媒体回収用ヘッダーの２つのヘッダーが取り付けられ、
これらヘッダーの接続ポートに連絡配管としてそれぞれ複数の往き連絡配管および戻り連絡配管が接続され、
これら往き連絡配管と戻り連絡配管とが仕切部材によって互いに異なる領域に収容されている請求項３に記載の配管集合装置。
【請求項５】
フレームの上部に熱源装置が配置されている請求項３又は４に記載の配管集合装置。
【請求項６】
フレームの下部に当該フレームの高さを調節する高さ調節手段が設けられている請求項１〜５の何れかに記載の配管集合装置。
【請求項７】
請求項３〜６の何れかに記載の配管集合装置を備えていることを特徴とする冷暖房システム。
【発明の詳細な説明】
【技術分野】
【０００１】
本発明は、配管集合装置に関するものであり、詳しくは、例えば冷暖房システムにおいて熱源装置に繋がる主管と各室内設備に繋がる多数の連絡配管とを接続するために使用される配管集合装置に関するものである。
【背景技術】
【０００２】
台所や浴室などに温水を供給する給湯システム、或いは、居室の床に敷設された床暖房パネルに温水を循環させる床暖房システム等においては、熱源装置に繋がる主管と各水周り機器や床暖房パネル等の室内設備に繋がる連絡配管とが所謂ヘッダーを介して接続されることにより、各室内設備へ温水を分配供給し、また、循環させた温水を一箇所に回収する様になされている。周知の通り、上記のヘッダーは、主管と連絡配管（枝管）の分岐部を構成する集合管であり、例えば、給湯システムに使用されるヘッダーとして、給水元管との接続口、給湯器へ至る配管の接続口、および、水周り機器ヘ至る連絡配管の接続口を備えたものが提案されている。
【特許文献１】特開２００１−２４８１９２号公報
【発明の開示】
【発明が解決しようとする課題】
【０００３】
ところで、例えば、昨今の床暖房システムでは、熱源装置側のヘッダーに繋ぎ込む連絡配管として、機器類の高容量化に伴う流量増加や耐久性の向上を考慮し、より大きな口径で且つ剛性の高い樹脂製配管を使用する傾向にあるため、施工の際、連絡配管の床からの立上り部分が暴れ易く、すなわち、立上り部分が無秩序な方向に湾曲し易く、施工性が極めて悪いと言う実情がある。また、上記のシステムでは、熱源装置の能力向上と暖房対象の居室の数の増加により、１つの熱源装置に対して一層多数の連絡配管を集結させる傾向にあるが、熱源装置の供給側および戻り側の各主管に取り付けられた温水供給用および温水回収用の一組のヘッダーに対し、各々、供給側および戻り側の一対の連絡配管を区分して接続しなければならず、且つ、ヘッダー付近では、多数の連絡配管が絡み合うため、施工の際、ヘッダーへの連絡配管の引回し及び接続が複雑になる。
【０００４】
本発明は、上記の実情に鑑みてなされたものであり、その目的は、給湯システムや冷暖房システムにおいて熱源装置に繋がる主管に対して連絡配管を集合させて接続する配管集合装置であって、連絡配管を接続する際、連絡配管の立上り部分の暴れを防止できる施工性に優れた配管集合装置を提供することにある。また、連絡配管を接続する際、多数の連絡配管を整理することが出来、施工が一層容易な配管集合装置を提供することにある。
【課題を解決するための手段】
【０００５】
上記の課題を解決するため、本発明の配管集合装置は、主管に対して多数の連絡配管を集合させて接続する配管集合装置であって、箱状に構成され且つ床上に設置されるフレームと、当該フレームに収納され且つ前記主管に接続されるヘッダーとを備え、且つ、当該ヘッダーは、その下方の床側に配置された前記連絡配管が接続される複数の接続ポートを有し、前記フレームの下部には、床側で水平方向に引き回される前記連絡配管を床側へ押え付ける配管浮上り防止具が着脱可能に設けられていることを特徴とする。すなわち、本発明においては、連絡配管の施工性を高めるため、フレームの下部に配管浮上り防止具を着脱可能に設けることにより、床側で水平方向に引き回されてフレーム内で立ち上げられる連絡配管の立上りの基端部分の浮上りを抑制する様にした。
【０００６】
また、好ましい態様の配管集合装置において、ヘッダーの下方には、前記フレームの内側の領域を複数に区画する仕切部材が配置され、且つ、当該仕切部材には、これによって区画された各領域に対して前記連絡配管を水平方向へ抜き差しする間隙が設けられる。すなわち、上記の態様においては、フレーム内のヘッダーの下方の領域を仕切部材によって複数の領域に区画することにより、ヘッダーの接続ポートに対応させて連絡配管の立上り部分を整理可能にし、且つ、仕切部材に間隙を設けることにより、区画された領域に対して連絡配管を簡単に抜き差し出来る様にした。
【発明の効果】
【０００７】
本発明の配管集合装置によれば、設置やメンテナンスにおいて連絡配管を接続する際、床から立ち上がる連絡配管の基端部分における浮上りを抑制できるため、容易に施工することが出来る。また、ヘッダーの下方に特定の仕切部材が配置されることにより、ヘッダーの接続ポートに対応させて連絡配管の立上り部分を適切な位置に簡単に整理でき、より一層容易に施工することが出来る。
【発明を実施するための最良の形態】
【０００８】
本発明に係る配管集合装置の実施形態を図面に基づいて説明する。図１は、本発明に係る配管集合装置の一例の全体構造を示す斜視図である。図２は、配管浮上り防止具の一例を示す斜視図およびフレーム下部の側面図である。また、図３は、図１のII−II線に沿った水平断面図であり、仕切部材によって区画されたフレーム内のヘッダー下方の領域を示す図である。
【０００９】
本発明の配管集合装置は、例えば、湯沸し装置などの熱源装置から流し台、洗面台、浴室カラン等の水周り機器に温水を供給する給湯システムにおいて、熱源装置に繋がる主管に対し、水周り機器に繋がる多数の連絡配管を集合させて接続するために使用される。また、ガスの燃焼や電力によって温水を製造する湯沸し装置やボイラー装置、あるいは、ヒートポンプや熱交換器によって冷水や低温冷却液を製造するチラー装置などの熱源装置と、温水によって居室内を暖房する室内空調機、床暖房パネル、ファンコンベクター、パネルラジエーター等、あるいは、冷水や冷却液によって居室内を冷房する室内空調機や冷却用壁パネルなどの熱または冷熱利用機器である室内設備との間で熱媒体（温水、冷水、冷却液などの液状熱媒体）を循環させる各種の冷暖房システムにおいて、熱源装置に繋がる主管と各室内設備に繋がる多数の連絡配管とを集合させて接続するために使用される。以下、本発明の配管集合装置の一例として、上記の冷暖房システムの一つである床暖房システムに適用される配管集合装置について説明する。
【００１０】
周知の通り、床暖房システムは、複数の居室の床に敷設された床暖房パネルに熱源装置から４０〜８０℃程度の温水（熱媒体）を供給し、床暖房パネルにおいて放熱して温度の低下した３０〜６０℃程度の利用済の温水（熱媒体）を熱源装置に戻すことにより、居室の暖房を行うシステムであり、本発明の配管集合装置は、熱源装置に繋がる温水（熱媒体）供給用および回収用の各主管に対し、床暖房パネルに繋がる供給側および戻り側の多数の連絡配管を接続するために使用される。なお、熱媒体は、水の他、不凍液などのアルコール系溶媒であってもよい。
【００１１】
上記の配管集合装置は、図１に示す様に、箱状に構成され且つ床上に設置されるフレーム（１）と、当該フレームに収納され且つ前記各主管に接続されるヘッダー（２）とを備えている。フレーム（１）は、金属の押出型材や平板から成る４本の支柱（１１）と複数の梁（１２）を使用し、縦長の箱状に枠組みして構成される。図示しないが、フレーム（１）の外側には意匠パネルが取り付けられる。
【００１２】
本発明においては、後述の連絡配管（３）の立上り部分の露出を防止し、また、フレーム（１）の連絡配管（３）の引き込み高さを連絡配管（３）の配置レベル（高さ）に対応させるため、フレーム（１）の下部には、当該フレームの高さを調節する高さ調節手段（図示省略）が設けられる。高さ調節手段としては、各支柱（１１）の下端に鉛直方向に螺着されて回転操作により上下移動するアジャスターボルト、縦方向に長いねじ挿通用の長穴が設けられて各支柱（１１）の下端部に高さ調節可能にねじ止めされるＬ型鋼や角パイプから成る脚部材などが挙げられる。
【００１３】
また、上記のフレーム（１）は、少なくとも、ヘッダー（２）及びこれに接続される連絡配管（３）の立上り部分を収容し得る大きさに形成されるが、熱源装置（９）を収容し得る大きさに形成されてもよい。すなわち、本発明の配管集合装置においては、上記の様な床暖房システムに使用する場合、フレーム（１）の上部に熱源装置（９）が配置されてもよい。熱源装置（９）は、例えば、電気ヒーター又は蒸気によって容器内の液状熱媒体を加熱すると共に、容器内に挿入した蛇管に通水することにより温水を製造する熱交換器、系内の水量を一定に保持するための貯留タンク、並びに、熱交換器内の液状熱媒体を一定温度に制御し、製造された温水の供給を制御する制御装置などから構成される。
【００１４】
熱源装置（９）の熱交換器は、室内設備側へ温水を送り出すための温水供給用の主管（９１）（熱媒体供給用の主管）と、室内設備側から利用済の温水を戻すための温水回収用の主管（９２）（熱媒体回収用の主管）とを備えている。各主管（９１）及び（９２）は、通常、銅または銅合金、ステンレス、鉄、鉛などの金属、或いは、塩化ビニル、ポリエチレン、ポリブテン等の合成樹脂にて構成されており、その外径は１０〜６０ｍｍ程度、内径は７〜５３ｍｍ程度である。上記の様に、フレーム（１）に熱源装置（９）が予め収容されていることにより、熱源装置（９）を別途に設置する必要がなく、床暖房システムを一層簡単に施工できる。
【００１５】
ヘッダー（２）は、上記の熱源装置（９）で製造された温水を複数の連絡配管（３）へ分配し、複数の連絡配管（３）から熱源装置（９）へ戻される利用済の温水を集約する分岐管であり、熱源装置（９）の温水供給用の主管（９１）及び温水回収用の主管（９２）にそれぞれ取り付けられる。すなわち、床暖房システムにおいては、ヘッダー（２）として、温水供給用ヘッダー（２ａ）（熱媒体供給用ヘッダー）及び温水回収用ヘッダー（２ｂ）（熱媒体回収用ヘッダー）の２つのヘッダーが取り付けられる。
【００１６】
上記の各ヘッダー（２）は、銅または銅合金、ステンレス、鉄、鉛などの金属、又は、耐熱性および耐久性を有する合成樹脂にて構成され、通常、ヘッダー（２）の耐熱温度（熱変形を生じない最高温度）は９５℃以上、好ましくは１２０℃以上に設定される。ヘッダー（２）を構成する樹脂としては、熱可塑性または熱硬化性の汎用樹脂、あるいは、エンジニアリング・プラスチックが使用される。
【００１７】
上記の汎用樹脂としては、ポリエチレン（ＰＥ）、ポリプロピレン（ＰＰ）、塩化ビニール（ＰＶＣ）、メタクリル樹脂（ＰＭＭＡ）、ポリスチレン（ＰＳ）、アクリロニトリル・スチレン樹脂（ＡＳ、ＳＡＮ）、アクリロニトリル・ブタジエン・スチレン樹脂（ABS）、エチレン酢酸ビニルコポリマー（ＥＶＡ）、エチレン-ビニルアルコール共重合樹脂（ＥＶＯＨ）等が挙げられる。
【００１８】
また、エンジニアリング・プラスチックとしては、ポリエーテルエーテルケトン（ＰＥＥＫ） 、ポリサルホン（ＰＳＵ，ＰＳＦ）、ポリフェニルサルホン（ＰＰＳＵ）、ポリエーテルサルホン（ＰＥＳ）、ポリフェニレンサルファイド(ＰＰＳ)、ポリエーテルイミド（ＰＥＩ）、ポリアミド系樹脂、ナイロン６，６６，６１０，１１，１２（ＰＡ）、ポリカーボネート（ＰＣ）、フッ素系樹脂(ＰＴＦＥ，ＦＥＰ，ＰＦＡ，ＥＴＦＥ，ＣＴＦＥ，ＰＶＤＦ)、ポリフェニレンエーテル、ポリフェニレンオキサイド（ＰＰＥ／ＰＰＯ）、ポリエチレンテレフタレート(ＰＥＴ)、ポリブチレンテレフタレート(ＰＢＴ)、ポリアリレート(ＰＡＲ)、ポリアミドイミド(ＰＡＩ)、液晶ポリマー(ＬＣＰ)、ポリアセタール（ＰＯＭ）、ポリメチルペンテン（ＴＰＸ）、ポリベンゾイミダゾール（ＰＢＩ）、ポリアミノビスマレイミド（ＰＡＢＩ，ＰＡＢＭ）、ポリビスマレイミドトリアジン（ＢＴ樹脂）、オレフィン・ビニルアルコール共重合体（ＧＬ樹脂）、フェノール樹脂（ノボラック系）、エポキシ樹脂（ビスフェノール系）、ジアリルフタレート樹脂、不飽和ポリエステル樹脂、ポリイミド樹脂（ＰＩ）、メラミン樹脂などが挙げられる。
【００１９】
エンジニアリング・プラスチックは、工業部品やハウジングなどいわゆる工業用材料として用いられるプラスチックであり、強度、耐衝撃性、耐熱性、硬度劣化性などに優れている。強度、耐熱性の面からは、上記の様なエンジニアリング・プラスチックが好ましく、特に、耐水性、コスト等を考慮すると、ＰＰＳ，ＰＳＵ，ＰＰＳＵ等が好ましい。ヘッダー（２）は、上記の様な樹脂を射出成形して製作される。
【００２０】
ヘッダー（２）は、上記の温水供給用の主管（９１）又は温水回収用の主管（９２）に略垂直に接続される主管部と、当該主管部から水平方向に分岐された分岐管部とを備え、斯かる分岐管部は、当該ヘッダー下方の床側に配置された連絡配管（３）が接続される下方に向けられた複数の接続ポート（２１）を有している。ヘッダー（２）は、保守管理作業などの際に主管部と分岐管部を切分けるため、主管部の下端部にピストン状の弁部材が挿入され、弁部材の昇降操作により分岐管部の基端の主管部を開閉可能に構成される。
【００２１】
分岐管部の下側に設けられた接続ポート（２１）は、例えば、先端に鍔が張出された雌の接続口として構成され、これに挿入可能な雄の継手を使用して連絡配管（３）が接続される。具体的には、連絡配管（３）先端には、当該連絡配管の端部に圧入されるタケノコ状の圧入部、および、基部に鍔が張出された直管状の挿入部を有する雄の継手が取り付けられ、斯かる継手は、その挿入部を接続ポート（２１）に挿入して双方の鍔を突き合わせ、これらの鍔をクリップ状の結束金具で挟持することにより、接続ポート（２１）に固定される様になされている。なお、試験用の１つの接続ポートを含む使用しない接続ポート（２１）には盲栓が取り付けられる。
【００２２】
連絡配管（３）には、通常、ポリエチレン（ＰＥ）、ポリブテン（ＰＢ）等の合成樹脂から成る配管が使用される。特に、連絡配管（３）の構成材料としては、化学的安定性および耐久性に優れている点において架橋ポリエチレンが好適である。一般的に、床暖房を含む冷暖房システムでは、外径が８〜３０ｍｍ程度、好ましくは１０〜１３ｍｍ、肉厚が１〜３ｍｍ程度、好ましくは１．５ｍｍ程度の連絡配管（３）が使用される。斯かる連絡配管（３）は、通常、最小曲げ半径（座屈を惹起する半径）が３０〜７００ｍｍ程度、施工曲げ半径（座屈に対する安全度を考慮した施工時の目安となる曲げ半径）が５０〜１２００ｍｍ程度、好ましくは、最小曲げ半径が６０〜８０ｍｍ、施工曲げ半径が１００〜２００ｍｍである。殊に、架橋ポリエチレンから成る配管の最小曲げ半径は外径の約６倍であり、例えば外径が１０ｍｍの連絡配管（３）の最小曲げ半径は６０ｍｍである。
【００２３】
従って、従来の施工においては、絡み合った状態でヘッダーに連絡配管を接続することにより、ヘッダーから下方の連絡配管の立上り部分のある１箇所に力が集中するため、最小曲げ半径を十分に確保できず、連絡配管に座屈を生じる虞もある。これに対し、本発明の配管集合装置は、上記の様な樹脂製の配管であって、曲げ操作により潰れて座屈し易い比較的剛直な配管に適している。
【００２４】
本発明においては、設置やメンテナンスの際の施工性を高め、しかも、連絡配管（３）の座屈を防止するため、ヘッダー（２）の下方には、当該ヘッダー下方のフレーム（１）の内側の領域（６）（空間）を複数の領域に区画する仕切部材（４）が配置される。斯かる仕切部材（４）は、図１及び図３に示す様に、例えば、細長のＵ字状に形成されたバー（又はパイプ）によって構成される。Ｕ字状のバーは、前後の支柱（１１）に架け渡された取付板（４１）に横向きに取り付けられることにより、フレーム（１）の両側面側から内側に張り出した状態に配置される。そして、図３に示す様に、各対向する状態に配置された２組の仕切部材（４）により、ヘッダー（２）の下方が例えば領域（６１）及び領域（６２）の２つの領域に区画される。
【００２５】
更に、連絡配管（３）の配置施工を容易にするため、上記の対向する仕切部材（４）の間には間隙（４２）が設けられる。すなわち、仕切部材（対向する１組の仕切部材）（４）には、これによって区画された各領域（６１）及び（６２）に対して連絡配管（３）を水平方向へ抜き差しする間隙（４２）が設けられる。斯かる間隙（４２）を設けることにより、施工の際、上記の領域（６１）と領域（６２）との間で連絡配管（３）の立上り部分を任意に移動させることが出来る。
【００２６】
領域（６１）及び（６２）の各幅、すなわち、フレーム（１）の一側面側に隣接する２つの仕切部材（４）で形成される領域（６１）の間隔、および、仕切部材（４）とフレーム（１）の背面側の梁（１２）で形成される領域（６２）の間隔は、連絡配管（３）が１本だけ挿通し得る間隔とされる。換言すれば、上記の領域（６１）及び（６２）の幅は、連絡配管（３）の外径の２倍未満の大きさとされる。領域（６１）及び（６２）の幅を上記の様に設定することにより、ヘッダー（２）の接続ポート（２１）の配列に応じて連絡配管（３）の立上り部分を１列に整列することが出来る。
【００２７】
床暖房システムに適用される配管集合装置においては、図３に示す様に、温水供給用ヘッダー（２ａ）（熱媒体供給用ヘッダー）及び温水回収用ヘッダー（２ｂ）（熱媒体回収用ヘッダー）の接続ポートに対し、各々、連絡配管（３）として複数の往き連絡配管（３ａ）及び戻り連絡配管（３ｂ）が接続され、これら往き連絡配管（３ａ）と戻り連絡配管（３ｂ）とは、上記の仕切部材（４）によって仕切られて互いに異なる領域（６１）及び（６２）に収容される。なお、仕切部材（４）としては、ヘッダー（２）の下方の領域（６）を複数に区画し得る限り、例えば、平板、直線状のバー等の適宜の構造のものを使用できる。
【００２８】
また、本発明においては、施工性を高め且つ過度な負荷をかけずに連絡配管（３）を配置するため、図１及び図２に示す様に、フレーム（１）の下部には、床側で水平方向に引き回される連絡配管（３）を床側へ押え付ける配管浮上り防止具（５）が着脱可能に設けられる。本発明において、「床側」とは、根太で支持された床下地材から表面の床仕上材までを含む部位を言う。具体的には、連絡配管（３）は、新設の場合は床下地材の表面において、リフォームの場合は既存床の床仕上材の表面において引き回されるが、本発明では、配管浮上り防止具（５）により、連絡配管（３）を床側、すなわち、前記の床下地材の表面側または既存床の床仕上材の表面側に押え付ける様になされている。
【００２９】
上記の管浮上り防止具（５）は、例えば、図２（ａ）に示す様に、枕木状の本体バー（５１）の両端に立上り片（５２）を設けて構成される。しかも、各立上り片（５２）には、当該立上り片の本体バー（５１）からの突出方向に沿った長穴（５ｃ）が設けられる。また、好ましい態様においては、連絡配管（３）を押え付けた際の当該連絡配管の傷付きを防止するため、本体バー（５１）の下縁には、発泡ウレタン、ゴム等の弾性材（５３）が付設される。
【００３０】
図２（ｂ）に示す様に、配管浮上り防止具（５）は、前後の支柱（１１）に設けられた挿通穴（図示省略）に雄ねじ（５４）を挿通して蝶ナット（５５）で各立上り片（５２）を締め付けることにより、本体バー（５１）が略水平となる様にフレーム（１）の側面に取り付けられる。上記の様な配管浮上り防止具（５）は、着脱が容易であるため、連絡配管（３）のヘッダー（２）への繋ぎ込み施工が容易であり、且つ、長穴（５ｃ）を利用して取付高さを調節出来るため、床から立ち上げられる連絡配管（３）を適切な力で押え付けることが出来る。なお、配管浮上り防止具（５）としては、支柱（１１）側に設けた複数のねじ挿通穴を選択して高さ調節するもの、クランプ等の固定具を使用して任意の高さに固定するもの等、着脱可能で且つ高さ調節可能な各種の構造のものを使用できる。
【００３１】
本発明の配管集合装置は、前述の通り、居室の床暖房パネルに熱源装置（９）から温水を循環供給する床暖房システムに利用される。図示しないが、上記の床暖房パネルは、例えば、基材としてのシート状の発泡樹脂成形体と、当該発泡樹脂成形体の表面側に一定間隔で配置された通水パイプと、発泡樹脂成形体の表面に貼着された熱拡散用のアルミニウム等の金属箔とから構成され、床下地材に敷設され且つ表面に仕上材が配置される。斯かる床暖房パネルは、特開２００２−８１６６２号公報などに開示されており、往き連絡配管（３ａ）及び戻り連絡配管（３ｂ）を通じて上記の通水パイプに温水を循環させることにより、居室を床から暖房することが出来る。
【００３２】
上記の床暖房システムを設置する場合、先ず、床下地材に床暖房パネルを敷設すると共に、本発明の配管集合装置を設置する。配管集合装置は、床暖房パネルと同一の居室内に設置してもよいし、床暖房パネルを敷設した居室とは別の場所でもよい。配管集合装置を設置する場合、フレーム（１）に設けられた高さ調節手段を利用し、連絡配管（３）の引回し高さに応じてフレーム（１）の高さを調節する。次いで、床暖房パネルに上記の連絡配管（３）の一端を接続した後、部屋の壁際などを利用して連絡配管（３）を配管集合装置まで引き回し、配管集合装置のフレーム（１）の内側において連絡配管（３）を立ち上げてヘッダー（２）に繋ぎ込む。
【００３３】
本発明の配管集合装置において、ヘッダー（２）に連絡配管（３）を接続するにあたり、図１に示す様に、例えば、床から立ち上げる連絡配管（３）をフレーム（１）の側面から内側へ引き込んで予め長めに切断しておく。続いて、フレーム（１）下部の側面に配管浮上り防止具（５）を取り付け、多数の連絡配管（３）の床から立ち上がる直前の部分（立上りの基端部分）を配管浮上り防止具（５）によって押さえる。その際、最初は床側の連絡配管（３）をある程度自由に移動できる様に緩く仮押さえする。
【００３４】
上記の連絡配管（３）は、通常、往き連絡配管（３ａ）と戻り連絡配管（３ｂ）が一対になった所謂ペアチューブであり、施工時にペアチューブの端部を往き連絡配管（３ａ）と戻り連絡配管（３ｂ）とに分離させるが、上記の様に配管浮上り防止具（５）によって連絡配管（３）を仮押さえした後は、図３に示す様に、分離させた往き連絡配管（３ａ）と戻り連絡配管（３ｂ）を仕切部材（４）を利用し、それぞれ領域（６１）及び（６２）に区別して配置する。そして、連絡配管（３）の立上り部分の曲りが適切な半径となる様に端部の長さを調節し、往き連絡配管（３ａ）は温水供給用ヘッダー（２ａ）の接続ポート（２１）に繋ぎ込み、戻り連絡配管（３ｂ）は温水回収用ヘッダー（２ｂ）の接続ポート（２１）に繋ぎ込む。ヘッダー（２）に連絡配管（３）を接続した後は、配管浮上り防止具（５）を更に押し下げ、連絡配管（３）の立上りの基端部分を押え付ける。
【００３５】
上記の様に、本発明の配管集合装置は、フレーム（１）の下部に配管浮上り防止具（５）が着脱可能に設けられ、床側で水平方向に引き回されてフレーム（１）内で立ち上げられる連絡配管（３）の立上りの基端部分の浮上りを抑制する様になされている。従って、本発明によれば、連絡配管を接続する際、連絡配管（３）が暴れることがなく、容易に施工することが出来る。特に、図２に示す様な配管浮上り防止具（５）は、長穴（５ｃ）を利用して取付高さを調節出来るため、床から立ち上げられる連絡配管（３）を少ない負荷で押え付けることが出来る。従って、連絡配管（３）の接続施工の際、上記の領域（６１）及び（６２）において連絡配管（３）の立上り部分を無理のない整った半径形状に湾曲させ且つ最適な長さに切断調整してヘッダー（２）に接続でき、しかも、床材に対する傷付きも防止できる。
【００３６】
そして、本発明の配管集合装置は、フレーム（１）内のヘッダー（２）の下方の領域（６）が仕切部材（４）材によって複数の領域（６１），（６２）に区画され、ヘッダー（２）の接続ポート（２１）に対応させて連絡配管（３）の立上り部分を整理可能になされており、且つ、仕切部材（４）に間隙（４２）が設けられ、区画された領域（６１），（６２）に対して連絡配管（３）を簡単に抜き差し出来る様になされている。従って、本発明によれば、設置やメンテナンスの際、連絡配管（３）の立上り部分を適切な位置に簡単に整理でき、より一層容易に施工することが出来る。
【００３７】
また、本発明の配管集合装置は、フレーム（１）の下部に高さ調節手段が設けられており、最初に設置する際、連絡配管（３）の床側における引回し高さに応じてフレーム（１）の高さを調節し、フレーム（１）側の連絡配管（３）の引き込み高さを調節できるため、施工後における連絡配管（３）の立上り部分の露出を防止でき、外観を良好にし得るのみならず、足に引っ掛ける等の危険を防止できる。しかも、例えば、配管集合装置と床暖房パネルを仮接続して水漏れ検査などを行うため、床施工前に配管集合装置を予め設置した様な場合、高さ調節手段によってフレーム（１）への連絡配管（３）の引き込み高さを連絡配管（３）の引回し高さに揃えることが出来るため、上記の様に最終的にヘッダー（２）に連絡配管（３）を繋ぎ込む際、又は、メンテナンスの際に連絡配管（３）を着脱する際、連絡配管（３）の無理な引回しがなく、より一層容易に施工出来る。
【００３８】
また、床暖房を含む各種の冷暖房システム、すなわち、熱源装置と複数の室内設備との間で熱媒体を循環させる各種の冷暖房システムにおいては、上記の配管集合装置を備えていることにより、すなわち、熱源装置に繋がる主管と各室内設備に繋がる多数の連絡配管とが上記の配管集合装置を介して接続されることにより、システム構築の際やメンテナンスの際の施工性を一層高めることが出来る。
【図面の簡単な説明】
【００３９】
【図１】本発明に係る配管集合装置の一例の全体構造を示す斜視図である。
【図２】配管浮上り防止具の一例を示す斜視図およびフレーム下部の側面図である。
【図３】図１のII−II線に沿った水平断面図であり、仕切部材によって区画されたフレーム内のヘッダー下方の領域を示す図である。
【符号の説明】
【００４０】
１  ：フレーム
１１：支柱
１２：梁
２  ：ヘッダー
２１：接続ポート
２ａ：温水供給用ヘッダー（熱媒体供給用ヘッダー）
２ｂ：温水回収用ヘッダー（熱媒体回収用ヘッダー）
３  ：連絡配管
３ａ：往き連絡配管
３ｂ：戻り連絡配管
４  ：仕切部材
４１：取付板
４２：間隙
５  ：配管浮上り防止具
５１：本体バー
５２：立上り片
５３：弾性材
５４：雄ねじ
５５：蝶ナット
５ｃ：長穴
６  ：ヘッダーの下方の領域
６１：区画された領域
６２：区画された領域
９  ：熱源装置
９１：温水供給用の主管（熱媒体供給用の主管）
９２：温水回収用の主管（熱媒体回収用の主管）
【図１】
2006118589.tif 000003
【図２】
2006118589.tif 000004
【図３】
2006118589.tif 000005